(57)【要約】【課題】ユーザがデジタル写真を記憶し、表示し、その場で印刷できるようにする一体型の装置を提供する。【解決手段】一体型多機能デジタル写真装置は、ハウジング、フレーム、表示ユニット、プロセッサ、および印刷ユニットを備え、前記表示ユニット、プロセッサ、および印刷ユニットが、ハウジング内に位置し、フレームが前記表示ユニットを縁どっていることを特徴とする。【選択図】図４
2008228294.tif 000002
【特許請求の範囲】
【請求項１】
ハウジング、フレーム、表示ユニット、プロセッサ、および印刷ユニットを備え、
前記表示ユニット、プロセッサ、および印刷ユニットが、ハウジング内に位置し、
フレームが前記表示ユニットを縁どっている、
一体型多機能デジタル写真装置。
【請求項２】
デジタル写真情報を記憶するための記憶ユニットをさらに備える、請求項１に記載の写真装置。
【請求項３】
無線受信器およびインターフェイス・ユニットをさらに備える、請求項１に記載の写真装置。
【請求項４】
前記ハウジングが、表示装置ハウジングおよびベースを備え、前記表示装置ハウジングが前記ベースに対して回転可能である、請求項１に記載の写真装置。
【発明の詳細な説明】
【技術分野】
【０００１】
本発明は、ユーザがデジタル写真を記憶し、表示し、その場で印刷できるようにする一体型の装置に関している。
【背景技術】
【０００２】
写真、特にデジタル写真は、どこにでもある（ユビキタスな）ものとなっている。デジタル写真の取り扱いにおいて、いくつかの機能が必要となる。デジタル写真を記憶し、それらを論理的、あるいは時間またはカテゴリによって整理するために、保存場所（リポジトリ）が必要である。特には消費者が数百または数千のデジタル写真を有する可能性に鑑み、所望のデジタル写真を見つけ出すために、ファイリング・システムが必要とされる。デジタル写真を眺めるための装置が必要とされる（特許文献１にはこのような写真表示装置が記載されている）。最後に、写真立てに配置したり、あるいは他者に渡したりすることができるよう、デジタル写真を印刷するためにプリンタが必要とされる。
【０００３】
これらの機能は現状、一体化された様式では存在せず、通常は多数の装置においてしか利用することができない。例えば、ラップトップ、パーソナル・コンピュータ、写真プリンタ、およびデジタル写真立ては、これらの機能の一部を含んでいるが、それらのすべてを含んでいるわけではない。さらに、このような装置は、通常は、リビングルームの環境において魅力的な常設の置き物として受け入れられるようには設計されず、あるいはオフィス／ロビー／ギフトショップの環境のための洗練された家具装飾品として受け入れられるようには設計されていない。
【特許文献１】米国特許第６９６１０４６号公報
【発明の開示】
【発明が解決しようとする課題】
【０００４】
本発明は、ユーザがデジタル写真を記憶し、表示し、その場で印刷できるようにする一体型の装置を提供する。
【課題を解決するための手段】
【０００５】
本願請求項１に係る発明は、一体型多機能デジタル写真装置であって、ハウジング、フレーム、表示ユニット、プロセッサ、および印刷ユニットを備え、前記表示ユニット、プロセッサ、および印刷ユニットが、ハウジング内に位置し、フレームが前記表示ユニットを縁どっていることを特徴とする。
【０００６】
前記写真装置は、デジタル写真情報を記憶するための記憶ユニットをさらに備えていてもよい。
【０００７】
前記写真装置は、無線受信器およびインターフェイス・ユニットをさらに備えていてもよい。
【０００８】
前記写真装置において、前記ハウジングが表示装置ハウジングおよびベースを備え、前記表示装置ハウジングが前記ベースに対して回転可能であってもよい。
【発明の効果】
【０００９】
本開示の一体型多機能デジタル写真装置は、写真の保存場所として機能して、ユーザはデジタル写真を電子的に転送またはロードすることができ、デジタル写真アルバムのための電子ファイリング・システムとして機能することもできる。ただ１枚の静止画または写真のスライドショーを表示することもでき、画像を向上させる（エンハンスする）ことができる。また、少量印刷機能を内蔵し、或いはウェブ・ベースの印刷注文による大量印刷を可能にする。
【発明を実施するための最良の形態】
【００１０】
図１〜３は、本明細書の開示の例示的な実施形態の種々の図である。多機能デジタル写真装置１０は、ハウジング２０を有する。ハウジング２０は、表示装置ハウジング３０およびベース４０を備える。表示装置ハウジング３０およびベース４０は、互いに対して回転可能であってよい。表示ユニット５０は、表示装置ハウジング３０内に位置している。装置１０は、デジタル写真を記憶するための記憶ユニット６０（不図示）を有することができる。印刷ユニット７０（不図示されていない）は、ベース４０内に位置している。図に見られるように、ハウジング２０のベース４０は、さらにトレイ８０を備えることができる。トレイによれば、印刷ユニット７０によって印刷できるように、紙をハウジング２０へと挿入して支持することができる。通常、紙はハウジング２０の後部に挿入され、ハウジング２０の前部から出てくる。ベース４０は、ハウジング２０の内部へのさらなるアクセスが必要とされる場合に、ドア（不図示）をさらに備えることができる。装置１０は、表示ユニット５０を縁どり、あるいは表示ユニット５０を囲むフレーム１００を備える。フレーム１００は、ハウジング２０と一体であってよく、あるいはハウジング２０の外側に位置してもよい。装置１０はさらに、ユーザが装置１０とやり取りできるよう、種々のボタン１１０および／またはライト１２０を備えることができる。また、装置１０は、プロセッサ１３０をも備える。プロセッサ１３０は、表示ユニット５０を制御することができ、通常は装置１０のすべての構成要素へと接続されている。プロセッサ１３０は、例えば１枚だけの静止画が表示されるか、あるいは「スライドショー」が表示されるように、表示ユニット５０を制御することができる。さらにプロセッサ１３０は、画像向上（エンハンス）技術を提供して、デジタル写真／ビデオをエンハンスなしに比べてより高い品質にする。
【００１１】
多機能デジタル写真装置１０は、デジタル写真情報を記憶する記憶ユニット６０をさらに備えることができる。記憶ユニットは、フラッシュメモリ、ＥＥＰＲＯＭ、またはＲＡＭなど、当分野において既知の任意の装置であってよい。また、写真装置１０が記憶ユニットを持たず、代わりにデジタル画像を含む記憶ユニットが写真装置１０へと差し込まれてもよい。写真装置１０は、記憶装置を差し込むことができるようＵＳＢポートまたはカード・アダプタを有することが考えられる。
【００１２】
表示ユニット５０は、フラットパネル表示装置であり、当分野において既知の任意の種類の表示装置を使用することができる。例えば、フラットパネル表示装置は、液晶表示装置（ＬＣＤ）、プラズマ、またはデジタル・ライト・プロセシング（ＤＬＰ）であってよい。表示ユニット５０は、通常は矩形の形状を有する。表示ユニットは、４インチから５０インチにもなるまでの対角長さを有することができる。
【００１３】
印刷ユニット７０によって、ユーザは、デジタル写真を眺めて複製を望んだ者のために、迅速にその場でデジタル写真を印刷することができる。印刷ユニット７０は、液体インクジェット・プリンタ、レーザ・プリンタ、固体インクジェット・プリンタ、または昇華型プリンタなど、当分野において既知の任意のユニットであってよい。印刷ユニットは通常、印刷ヘッド、インク供給源、モータ、およびベルトを含む。
【００１４】
さらに装置１０は、インターフェイス・ユニット１５０を備えることができる。例えば、印刷ユニット７０を、少量の高品質な速やかな印刷のために使用し、大量の印刷はウェブ・ベースの印刷注文によって行うことが考えられる。インターフェイス・ユニット１５０によって、装置１０は、外部の相手（ソース）と通信を行うことができる。インターフェイス・ユニット１５０は、装置１０をインターネットへと接続できるようにするイーサネット（登録商標）・ケーブルを受け入れるための差し込み口であってよい。また、インターフェイス・ユニット１５０は、インターネットまたは記憶ユニット６０を含むコンピュータへの無線接続のための無線受信器１４０であってもよい。写真装置１０は、所望であれば、無線受信器１４０およびインターフェイス・ユニット１５０の両方を備えることができる。
【００１５】
ハウジング２０は、当然ながら、装置１０の種々の構成部品が動作またはユーザとの通信を行うために必要な任意の数のスロットおよび／または穴を含むことができる。トレイ８０は、印刷物の形成のために用紙が載せられる一時的なトレイとして機能でき、その後に写真装置１０の専有面積を少なくするために畳むことができる。しかしながら、トレイ８０が、用紙を保管するフィーダとして機能してもよい。写真装置１０は、電池式の電源から、あるいは電気コンセントへと差し込まれるＡＣアダプタを介して電力を受け取ることができる。さらに装置１０は、音声をもたらすためにスピーカなどの音響ユニットを備えることができる。音響ユニットは、ハウジング２０の表示装置ハウジング３０またはベース４０に位置することができる。
【００１６】
図４は、写真装置１０の一実施形態の内部アーキテクチャの概略図である。この実施形態においては、表示ユニット５０が、表示装置ハウジング３０内にある。印刷ユニット７０、プロセッサ１３０、無線受信器１４０、およびインターフェイス・ユニット１５０は、ベース４０に位置している。表示ユニット５０が表示装置ハウジング３０に位置し、印刷ユニット７０がベース４０に位置する一方で、他の構成要素は、ハウジング２０の任意の部分に位置することができる。この実施形態においては、写真装置１０が記憶ユニット６０を有し、これがハウジング２０内に示されている。
【００１７】
本開示の一体型多機能デジタル写真装置は、極めて有用である。写真の保存場所として機能して、ユーザはデジタル写真を電子的に転送またはロードすることができる。デジタル写真アルバムのための電子ファイリング・システムとして機能することもできる。ただ１枚の静止画または写真のスライドショーを表示することができる。画像を向上させる（エンハンスする）ことができる。また、少量印刷機能を内蔵し、或いはウェブ・ベースの印刷注文による大量印刷を可能にする。
【図面の簡単な説明】
【００１８】
【図１】本開示の一体型多機能デジタル写真装置の実施形態の背面図である。
【図２】本開示の一体型多機能デジタル写真装置の実施形態の側面図である。
【図３】本開示の一体型多機能デジタル写真装置の実施形態の正面図である。
【図４】本開示の一体型多機能デジタル写真装置の実施形態の内部アーキテクチャの概略図である。
【符号の説明】
【００１９】
１０  多機能デジタル写真装置
２０  ハウジング
３０  表示装置ハウジング
４０  ベース
５０  表示ユニット
６０  記憶ユニット
７０  印刷ユニット
８０  トレイ
１１０  ボタン
１２０  ライト
１３０  プロセッサ
１４０  無線受信器
１５０  インターフェイス・ユニット
【図１】
2008228294.tif 000003
【図２】
2008228294.tif 000004
【図３】
2008228294.tif 000005
【図４】
2008228294.tif 000006